(57)【要約】【課題】省エネルギーランプソケット装置を提供する。【解決手段】本考案の省エネルギーランプソケット装置は、ソケットおよびジョイントを含み、且つソケットランプを収容することに用いる。該ソケットおよびジョイントの一端面上に、それぞれ従来常用のランプスタンドに挿入可能な挿入ピンを設けてなる。他端面上にそれぞれソケットランプの挿入ピンを挿入させる挿入孔を設けてなる。該ソケットおよびジョイントがそれぞれ含む挿入ピンおよび挿入孔の間に接続回路を設けてなり、且つ該ソケットが設けてなる接続回路は、更に電子安定器を接続し、十分な電圧を印加することにより、該ソケットランプを起動する。該ソケットランプは、このソケット装置により、常用の２０Ｗ、３０Ｗおよび４０Ｗの蛍光灯ランプスタンドに直接装着することができる。【選択図】図１
0003134660.tif 000002
【実用新案登録請求の範囲】
【請求項１】
ソケットランプを収容することに用いる省エネルギーランプソケット装置であって、ソケットと、ジョイントを含み、
該ソケットは、第１端部および第２端部を含み、該第１端部は、該ソケットランプの一端を挿入させる第１凹溝を設けてなり、該第１凹溝の内部底面に該ソケットランプの一端の導電端子を挿入させる一組の第１挿入孔を設けてなり、該第２端部に一組の第１挿入ピンを突出して設けてなり、また、該ソケット内に収容スペースを設けてなり、該収容スペース内に電子安定器を設けてなり、該電子安定器および第１挿入孔と該第１挿入ピンの間に第１接続回路を接続してなり、
該ジョイントの一端面上に該ソケットランプ他端を挿入させる第２凹溝を設けてなり、該第２凹溝の内底面に該ソケットランプ一端の導電端子を挿入させる一組の第２挿入孔に設けてなり、該ジョイントの他端面上に一組の第２挿入ピンを突出して設けてなり、該第２挿入孔および第２挿入ピンの間に第２接続回路を接続する省エネルギーランプソケット装置。
【請求項２】
前記第１挿入ピンおよび第２挿入ピンがそれぞれ従来常用のランプスタンド両端に設けてなる従来の挿入孔と対応してなる請求項１記載の省エネルギーランプソケット装置。
【請求項３】
該ソケットの外殻に複数の散熱孔を設けてなる請求項１記載の省エネルギーランプソケット装置。
【請求項４】
該第１凹溝および第２凹溝の内壁面にそれぞれ複数の凸リブ請求項１または３記載の省エネルギーランプソケット装置。
【考案の詳細な説明】
【技術分野】
【０００１】
本考案は、蛍光灯ソケット装置に関し、特に、省エネルギーランプを異なる規格寸法を有するスタンド上に実装することができるランプソケット装置に関する。
【背景技術】
【０００２】
蛍光灯は、現在極めて普遍的な照明器具として使用され、従来の常用されていた蛍光灯ソケット（即ち、センサー式ランプソケットまたは電子式ランプソケット）およびランプ（Ｔ９またはＴ８ランプ、Ｔは、ランプの直径寸法を意味する）の体積は大きく、空間を占有し、水銀含有量が多く汚染の要因となり、使用寿命が短く、且つ電力消耗が大きく、現代の省エネルギー環境保護の流れに適さないので、近年は既に徐々に体積が小さく、光度が高く、水銀含有量も少なく、光出力が安定し且つ省電力のＴ５光出力が安定し且つ省電力のＴ５稀土三波長ランプが取って代わり、この種の省エネルギーランプの管直径は従来常用の蛍光灯よりも小さく、直接原有のランプスタンドに実装できず、且つ必要な起動電圧も従来常用の蛍光灯と異なり、実装時、従来のランプを取り外し、比較的高価な対応するランプスタンドに実装する必要があり、コストを向上させるだけではなく、実装に時間、工事費も要し、取り外したランプの再利用性も低く、資源浪費および環境保護の問題を引き起こす。
【特許文献１】特開２００５−１９０２４号公報
【考案の開示】
【考案が解決しようとする課題】
【０００３】
本考案は、ソケットランプを直接従来常用のランプスタンドに装着し、既存のランプスタンド設備およびケーブル構造を交換する必要がなく、取り付けが快速で便利であり、安全且つ省エネルギーを達成する省エネルギーランプソケット装置を提供することを目的とする。
【課題を解決するための手段】
【０００４】
上記目的を達成する為、本考案の省エネルギーランプソケット装置は、ソケットおよびジョイントを含み、該ソケットおよび該ジョイントの一端面上にそれぞれ従来のランプスタンド上に挿入できる挿入ピンを設けてなり、他端面上にそれぞれソケットランプの挿入ピンを挿入させる挿入孔を設けてなり、且つ該ソケットおよび該ジョイントは、それぞれ挿入孔および挿入ピンの間に接続回路を設けてなる；また、該ソケット乱費に十分な起動電圧を貞子油するために、該ソケットが設ける接続回路は、更に電子安定器を接続してなり、十分な電圧を提供し、該ソケットランプを起動させる。この他、照明具の電源ケーブルを保護するため、従来常用のランプスタンド上の起動器を外して、電流異常時に回路を保護する保護器を装着することができる。
【考案の効果】
【０００５】
本考案の省エネルギーランプソケット装置は、ソケットランプを最も簡単な方式で直接従来常用のランプスタンドに装着でき、既存のランプスタンド設備を交換する必要が無い長所だけではなく、更に、実装に有する費用および時間を削減し、省エネルギーの効果を達成する。
【考案を実施するための最良の形態】
【０００６】
図１および図２は、本考案の実施例の省エネルギーランプソケットの立体分解図である。本考案の実施例の省エネルギーランプソケット装置は、ソケット１０およびジョイント２０を含み、該ソケット１０およびジョイント２０はソケットランプＡを収容することに用い、このソケット切り替え装置によって、該ソケットランプＡを既存の従来常用のランプスタンドに装着させ、装着過程を簡単、快速にする効果を達成し、同時に省エネルギーおよび照明具交換の環境汚染問題を減少させる。
【０００７】
ソケット１０は、外殻の一端が円柱形を呈する第１端部１１、および他端が錘形を呈する第２端部１２を含み、該第１端部１１および該第２端部１２が本実施例中に設けられるタイプは、例示しているだけであり、これに限るものではない。該第１端部１１の端面上に第１凹溝１１１を設けてなり、該第１凹溝１１１内部底面には、該ソケットランプＡの導電端子Ａ１を挿入させる一組の第１挿入孔１３、および第１凹溝１１内に複数の凸リブ１６を設けてなり、ランプＡの一端が該第１凹溝１１内に挿入する時、該凸リブ１６およびランプの一端の外側は摩擦を発生し、その組み合わせ固定力を強化することができる；該第２端部１２の端面上に一組の導電用の第１挿入ピン１４を設けてなり、従来常用のランプスタンドに挿入接続させる。また、該ソケット１０内に収容スペースを設けてなり、該収容スペースは、電子安定器１７を設置させることができ、該電子安定器１７上に電子部材を設けてなり、電子安定器１７はソケット１０に対して一体に成型してなる時、該収容スペース内に直接覆蓋し、ソケット１０の壁面に複数の散熱孔１５を形成し、電子安定器が動作時に発生する熱を該散熱孔１５から排出させることができる。該電子安定器１７および前記第１挿入孔１３と第１挿入ピン１４の間は、第１接続回路１８を接続して設けてなり（図４参照）、且つ該電子安定器１７は第１接続回路１８を通して上記ソケットランプＡに十分な電圧を提供し、該ソケットランプＡを起動する。
【０００８】
ジョイント２０の一端面上に第２凹溝２１を設けてなり、該第２凹溝２１内部底面に該ソケットランプＡの他端の導電端子を挿入させる一組の第２挿入孔２２を設けてなり、且つ第２凹溝２１の内壁面に複数のリブ２５を設けてなる。他端面上に一組の第２挿入ピン２３を突出して設けてなり、従来常用のランプスタンドに挿入させてなる。ランプＡ他端が該第２凹溝２１内に挿入する時、該凸リブ２５およびランプの外側に摩擦を発生し、その組み合わせ固定力を増加させる。該第２挿入孔２２および第２挿入ピン２３の間に、第２接続回路２４を接続してなる（図４参照）。
【０００９】
図３および図４は、本考案の実施例の省エネルギーソケット装置の組み合わせ図である。使用時、まず従来のＴ８またはＴ９ランプを取り外し、同時に該ソケットランプＡ（例えば、Ｔ５ランプ）両端の挿入ピンを、それぞれ該ソケット１０の第１挿入孔１３および該ジョイント２０の第２挿入孔２２内に挿入し、該ソケット装置を組み合わせたランプ体を、該ソケットの第１挿入ピン１４および該ジョイント２０の第２挿入ピン２３によって、それぞれ従来常用のランプスタンド（即ちセンサー式ランプソケット）の両端に設置される対応した従来の挿入孔上に挿入してなる（図示せず）。また、照明具の電源ケーブルを保護するために、従来常用のランプスタンド上の起動器を取り外し（図示せず）、ヒューズを含む保護器（図示せず）を装着することができ、電流異常の状況において、照明具の回路を保護する。
【００１０】
上記第１接続回路１８および第２接続回路２４は、該ソケット１０およびジョイント２０の間に設けられたソケットランプＡを、該ソケット１０およびジョイント２０の間で電気的接続させ、且つ該ソケットランプＡは第１接続回路１８を通して、上記ソケット１０が含む電子安定器１７に接続し、該電子安定器１７上に設けられた電子部材によって高周波電圧を印加し、該ソケットランプＡ（即ち、省エネルギーランプ）を起動し、照明を明るく点灯する目的を達成する。
【００１１】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【図面の簡単な説明】
【００１２】
【図１】本考案の実施例の立体分解図である。
【図２】本考案の実施例の他の立体分解図である。
【図３】本考案の実施例の立体組み合わせ図である。
【図４】本考案の実施例の組み合わせ説明図である。
【符号の説明】
【００１３】
Ａ ソケットランプ
Ａ１ 導電端子
１０ ソケット
１１ 第１端部
１１１ 第１凹溝
１２ 第２端部
１３ 第１挿入孔
１４ 第１挿入ピン
１５ 散熱孔
１６ 凸リブ
１７ 電子安定器
１８ 第１接続回路
２０ ジョイント
２１ 第２凹溝
２２ 第２挿入孔
２３ 第２挿入ピン
２４ 第２接続回路
２５ 凸リブ
【図１】
0003134660.tif 000003
【図２】
0003134660.tif 000004
【図３】
0003134660.tif 000005
【図４】
0003134660.tif 000006
【手続補正書】
【提出日】平成19年6月27日(2007.6.27)
【手続補正１】
【補正対象書類名】実用新案登録請求の範囲
【補正対象項目名】請求項２
【補正方法】変更
【補正の内容】
【請求項２】
前記第１挿入ピンおよび第２挿入ピンがそれぞれランプスタンド両端に設けてなる挿入孔と対応してなる請求項１記載の省エネルギーランプソケット装置。
【手続補正２】
【補正対象書類名】実用新案登録請求の範囲
【補正対象項目名】請求項４
【補正方法】変更
【補正の内容】
【請求項４】
該第１凹溝および第２凹溝の内壁面にそれぞれ複数の凸リブを設けてなることを特徴とする、請求項１または請求項３に記載の省エネルギーランプソケット装置。